(57)【要約】【課題】多数のカバー部材を用意することなく、カバーの開口面積を細かく変更可能な男性用下着を提供する。【解決手段】胴体用開口１ａと、胴体用開口１ａの反対側に位置する、一対の脚部用開口１ｂと、胴体用開口１ａと一対の脚部用開口１ｂとにつながり、陰嚢にかかる部分に形成された窓を有する前身頃２と、前身頃２の窓２ａの一部又は全部を覆い、前身頃２に対して着脱可能に設けられたカバー５とを備える。カバー５の折り畳み状態を変えることで前身頃２の窓２ａの開口面積を連続的に変化させることが可能とされている。【選択図】図２
2011052352.tif 000002
【特許請求の範囲】
【請求項１】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓の一部又は全部を覆い、該前身頃に対して着脱可能に設けられたカバーとを備え、
前記カバーの折り畳み状態を変えることで前記前身頃の窓の開口面積を連続的に変化させることが可能とされていることを特徴とする男性用下着。
【請求項２】
前記カバーは前記前身頃の窓に対応する位置に開口部を有し、折り畳み状態を変えることで開口部の面積を変化させることにより、前記前身頃の窓の開口面積を連続的に変化させることが可能とされていることを特徴とする請求項１に記載の男性用下着。
【請求項３】
前記前身頃の窓の位置に、前記カバーを収納可能で、カバーが収納された状態で前記カバーの開口部を塞がないように形成された開口部を有するポケットが備えられていることを特徴とする請求項２に記載の男性用下着。
【請求項４】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓の一部又は全部を覆い、該前身頃に対して着脱可能に設けられたカバーとを備え、
前記カバーの前身頃に対する取付位置を変えることで前記前身頃の窓の開口面積を連続的に変化させることが可能とされていることを特徴とする男性用下着。
【請求項５】
前記カバーは、面ファスナにより前身頃に対して着脱可能とされていることを特徴とする請求項１、請求項２、または請求項４に記載の男性用下着。
【請求項６】
前記前身頃の窓とカバーの開口部との少なくとも一方にガーゼが備えられていることを特徴とする請求項１から請求項５のいずれか１項に記載の男性用下着。
【発明の詳細な説明】
【技術分野】
【０００１】
本発明は、下腹部のうち、特に、陰嚢に係る皮膚病の予防および治療に適した男性用下着に関するものである。
【背景技術】
【０００２】
従来、男性用下着は、その全体がメリヤス織の木綿製とされているものが殆どである。メリヤス織の木綿は、吸汗には適しているが、空気を比較的通しにくい。このため、メリヤス織の木綿に覆われた陰嚢は、通気が十分になされないため、蒸れてしまう。陰嚢が蒸れると、菌が繁殖することにより皮膚病にかかりやすく、気分も良くない、などという問題があった。
【０００３】
そこで、本出願人は、先に、通気性が考慮された男性用下着を提案している（特許文献１参照。）。
【０００４】
また、本出願人は、先に、通気状態を変更可能な男性用下着を提案している（特許文献２参照。）。この男性用下着は、胴体用開口と、胴体用開口の反対側に位置する、一対の脚部用開口と、胴体用開口と一対の脚部用開口とにつながり、陰嚢にかかる部分に形成された窓を有する前身頃と、前身頃の窓の一部又は全部を覆い、前身頃に対して着脱可能に設けられた、複数のカバーを備える。複数のカバーのそれぞれは、開口部を有するとともに、開口部はカバー毎に開口面積が異なる。複数のカバーのうちから最適か最適近傍に選択された一つが、前身頃に装着されて使用される。
【先行技術文献】
【特許文献】
【０００５】
【特許文献１】特開２００８−１３８３４４号公報
【特許文献２】実用新案登録第３１４９７３６号公報
【発明の概要】
【発明が解決しようとする課題】
【０００６】
しかし、特許文献２に記載のものでは、カバーの開口面積を変更するために複数のカバー部材が必要となる。細かく開口面積を変更するには、さらに多数のカバー部材が必要となる。
【０００７】
本発明は、上記問題点を解決することを課題としてなされたものであり、その目的とするところは、多数のカバー部材を用意することなく、通気用の開口の面積を細かく変更可能で、満足度の高い男性用下着を提供することにある。
【課題を解決するための手段】
【０００８】
本発明に係る男性用下着は、胴体用開口と、該胴体用開口の反対側に位置する、一対の脚部用開口と、前記胴体用開口と一対の脚部用開口とにつながり、陰嚢にかかる部分に形成された窓を有する前身頃と、前記前身頃の窓の一部又は全部を覆い、該前身頃に対して着脱可能に設けられたカバーとを備え、前記カバーの折り畳み状態を変えることで前記前身頃の窓の開口面積を連続的に変化させることが可能とされていることを特徴とする。
【０００９】
また、本発明に係る男性用下着は、胴体用開口と、該胴体用開口の反対側に位置する、一対の脚部用開口と、前記胴体用開口と一対の脚部用開口とにつながり、陰嚢にかかる部分に形成された窓を有する前身頃と、前記前身頃の窓の一部又は全部を覆い、該前身頃に対して着脱可能に設けられたカバーとを備え、前記カバーの前身頃に対する取付位置を上下に変えることで前記前身頃の窓の開口面積を連続的に変化させることが可能とされていることを特徴とする。
【発明の効果】
【００１０】
本発明に係る男性用下着によれば、カバーの折り畳み状態を変えることで、またはカバーの前身頃に対する取付位置を変えることで前身頃の窓の開口面積（窓の開口のうち通気可能な部分の面積）を連続的に変化させることができる。したがって、多数のカバー部材を用意することなく、開口面積を、使用者が最適と考える任意の面積に設定することができる。これにより、使用者の満足度が高くなる。
【００１１】
また、本発明に係る男性用下着では、着用者の陰嚢は、最適な開口面積で形成されたカバーによって覆われることとなる。開口部は、例えば、メリヤス織の木綿と比較して空気を通しやすい。よって、陰嚢が蒸れるのを防止できる。これにより、陰嚢に係る皮膚病の予防および治療を図ることができるとともに、睾丸の冷却効果も期待できる。
【図面の簡単な説明】
【００１２】
【図１】本発明の第１実施形態の男性用下着を示す正面図である。
【図２】本発明の第１実施形態の男性用下着において、カバーを外した状態を示す正面図である。
【図３】本発明の第１実施形態の男性用下着のポケットの拡大図である。
【図４】本発明の第１実施形態の男性用下着のカバーの拡大斜視図である。
【図５】本発明の第１実施形態の男性用下着のカバーの拡大図（１００％開口状態）である。
【図６】本発明の第１実施形態の男性用下着のカバーの展開図である。
【図７】本発明の第１実施形態の男性用下着のカバーの拡大図（５０％開口状態）である。
【図８】本発明の第１実施形態の男性用下着のカバーの拡大図（０％開口状態）である。
【図９】本発明の第１実施形態の第２の例に使用される男性用下着のカバーの展開図である。
【図１０】本発明の第２実施形態の男性用下着を示す正面図である。
【図１１】本発明の第２実施形態の男性用下着において、カバーを外した状態を示す正面図である。
【図１２】本発明の第２実施形態の男性用下着のカバーの展開図である。
【図１３】本発明の第３実施形態の男性用下着を示す正面図である。
【図１４】ポケットの遮蔽部材のバリエーションを示す正面図である。
【発明を実施するための形態】
【００１３】
以下、本発明の実施の形態について、添付図面に従って説明する。
【００１４】
（第１の実施の形態）
図１〜図８により、本発明の第１の実施の形態に係る男性用下着について説明する。図１は、本発明の第１実施形態の男性用下着を示す正面図である。図２は、本発明の第１実施形態の男性用下着においてカバーを外した状態を示す正面図である。本実施形態の男性用下着１は、前身頃２、後身頃３、ポケット４およびカバー５を備え、胴体用開口１ａと１対の脚部用開口１ｂが形成されている。着用者が本実施形態の男性用下着１を着用したときには、カバー５が陰嚢にかかる部分となる。
【００１５】
胴体用開口１ａは、着用者の胴体を通すための部分である。一対の脚部用開口１ｂは、胴体用開口１ａに対して反対側に開口しており、着用者の脚部を通すための部分である。
【００１６】
前身頃２の陰嚢にかかる部分には、通気のための窓２ａ（以下、「窓２ａ」と記す。）が形成されている。この窓２ａの形状は、例えば、長方形のほか、三角形、円形または任意形状の、単数、複数、さらには、それらの形状の併用、混用など自在に選択できる。その他、窓２ａを、孔の集合からなるパンチングメッシュで形成することも可能である。
【００１７】
ポケット４は、前見頃２の窓２ａの位置に対応させてその前面側に取り付けられ、カバー５を収納することができる。
【００１８】
図３は、本発明の第１実施形態の男性用下着のポケット４の拡大図である。図３（ａ）は正面図、図３（ｂ）は図３（ａ）のＤ−Ｄ断面図、図３（ｃ）は図３（ａ）のＥ−Ｅ断面図、図３（ｄ）は図３（ａ）のＦ−Ｆ断面図、図３（ｅ）は図３（ａ）のＡ−Ａ断面図、図３（ｆ）は図３（ａ）のＢ−Ｂ断面図、図３（ｇ）は図３（ａ）のＣ−Ｃ断面図である。ポケット４は、２枚の布材４Ａ，４Ａを前後に重ね合わせて形成されている。ポケット４の縁部は上部側を除いて前見頃２への縫い代４ａとして利用され、縫い代４ａの内側の部分がカバー５を収納する収納部４ｂとして利用される。
【００１９】
図３に示すように、ポケット４の前後の布材４Ａ，４Ａにはそれぞれ、前見頃２の窓２ａの位置に対応させて、この窓２ａよりも若干大きい窓４ｃ，４ｃが形成されている。窓４ｃ，４ｃは、通気性のよい遮蔽部材６により覆われている。遮蔽部材６は、例えばガーゼにより構成することができる。遮蔽部材６は、陰嚢が窓２ａ、窓４ｃ，４ｃを介して外部に露出するのを防止することができる。窓２ａは、長方形に形成されている。なお、窓４ｃの形状は、上記前身頃の窓２ａの形状と同様に、長方形のほか、三角形、円形または任意形状の、単数、複数、さらには、それらの形状の併用、混用など自在に選択できる。
【００２０】
図４は、本発明の第１実施形態の男性用下着のカバー５の拡大斜視図である。図４から明らかなように、カバー５は、キャタピラ状の形状とされ、開口部５ａを有している。カバー５は、布製で、任意の位置で折り畳み可能であり、折り畳み状態に応じて開口部の面積を変えることができる。
【００２１】
図５は、本発明の第１実施形態の男性用下着のカバー５を、通気用の開口部５ａ（切欠部分）の開口面積が最も大きくなるように折り畳んだ状態（１００％開口状態）を示す図である。なお、図５（ａ）はカバー５を正面から見た図、図５（ｂ）はカバー５を背面から見た図である。また、図５（ａ）のＩ−Ｉ断面図、Ｊ−Ｊ断面図、Ｇ−Ｇ断面図、Ｈ−Ｈ断面図をそれぞれ示している。カバー５は、図５のように折り畳まれたとき、下部側が切り欠かれた形状となる。そして、この切り欠かれた部分が開口部５ａ（二点鎖線で囲まれた部分）を構成する。カバー５は、図５の状態でポケット４内に収納されたとき、前身頃２の窓２ａと正面視でほぼ重なり合うようになっている。また、開口部５ａの面積は、図５の状態において、ポケット４の窓４ｃ及び前見頃２の窓２ａの面積とほぼ同じとなるように設定されている。
【００２２】
図６は、本発明の第１実施形態の男性用下着のカバー５の展開図である。なお、図６（ａ）は正面図、図６（ｂ）は背面図である。また、図６（ａ）のＫ−Ｋ断面図、Ｌ−Ｌ断面図、Ｍ−Ｍ断面図、Ｎ−Ｎ断面図を示している。カバー５を構成するカバー材５′の長手方向一端側には、開口部５ａに対応する矩形状の切り欠き５ａ′が形成されている。また、カバー材５′の左右の側部には、それぞれ面ファスナ７，７が取り付けられている。そして、カバー材５′を、面ファスナ７，７が向かい合うようにキャタピラ状に丸めて、切り欠き５ａ′側の一端側の先端部を他端部に接合することにより、上記キャタピラ形状が形成される。そして、カバー５の開口部５ａの開口面積が所望の状態となるようにカバー５を折り畳み、向かい合うファスナ７同士を結合させることにより、カバー５を前記図５等の所望の折り畳み状態で保持することができる。
【００２３】
カバー５は前述のように布製であるので、カバー５の折り位置は任意の位置とすることができる。図７、図８は折り位置を変更した例を示す。例えば、図７は、本発明の第１実施形態の男性用下着のカバーの拡大図（５０％開口状態）である。なお、図７（ａ）は正面図、図７（ｂ）は背面図である。また、図７（ａ）のＯ−Ｏ断面図、Ｐ−Ｐ断面図、Ｑ−Ｑ断面図、Ｒ−Ｒ断面図、Ｓ−Ｓ断面図を示している。この状態においては、開口部５ａは、図４に示す状態の下半分となり、開口面積は、５０％となっている。これにより、前見頃２の窓２ａの上半分がカバー５により覆われることとなる。つまり、窓２ａの開口面積（窓２ａの開口のうち通気可能な部分の面積）が図４の場合の５０％となる。図８は、本発明の第１実施形態の男性用下着のカバーの拡大正面図（０％開口状態）である。なお、図８（ａ）は正面図、図８（ｂ）は背面図である。また、図８（ａ）のＴ−Ｔ断面図、Ｕ−Ｕ断面図、Ｖ−Ｖ断面図、Ｒ−Ｒ断面図、Ｓ−Ｓ断面図を示している。この状態においては、開口部５ａが完全にカバー材５′で覆われることにより、開口面積は０％となっている。これにより、前見頃２の窓２ａの全てがカバー５により覆われることとなる。つまり、窓２ａの開口面積が０％となる。
【００２４】
図７、図８は一例であり、所望の折り位置でカバー５を折り畳むことにより、開口部５ａの開口面積を図８の０％から図５の１００％の間で連続的、かつ任意に設定することができる。なお、カバー５には、折り位置の目安として目盛を入れてもよい。これにより、所望の折り位置に速やかに調整することができる。また、例えば洗濯のために、一旦面ファスナ７，７同士の結合を解除した場合に、所望の折り位置を使用者が記憶するための目安となる。
【００２５】
ポケット４の開口端部において、布材４Ａ，４Ａには向かい合うように面ファスナ８，８が取り付けられている。ポケット４内にカバー５を収納した後、これらの面ファスナ８，８同士を結合させることにより、ポケット４の開口部を閉じることができる。これにより、ポケット４内に収納したカバー５が、使用中にポケット４から抜け出すのを防止することができる。
【００２６】
第１の実施の形態の男性用下着１によれば、カバー５の折り畳み状態を変えることで前身頃２の窓２ａの開口面積を連続的に変化させることができる。したがって、多数のカバー部材を用意することなく、開口面積を、使用者が最適と考える任意の面積に設定することができる。これにより、使用者の満足度を高めることができる。
【００２７】
また、カバー５は、着用者の陰嚢にかかることになり、メリヤス織の木綿からなる前身頃２によって覆われることがない。このため、メリヤス織の木綿によって覆われた状態とは異なり、陰嚢に対して空気が適切に通ることとなる。したがって、陰嚢が過度に蒸れてしまうことを回避でき、菌の発生に起因する皮膚病を患うことを予防することも、治療を進めることもできる。
【００２８】
なお、カバー５の開口部５ａの形状は、上記窓２ａの形状と同様に、長方形のほか、三角形、円形または任意形状の、単数、複数、さらには、それらの形状の併用、混用など自在に選択できる。
【００２９】
また、ポケット４の布材４Ａ，４Ａについては、（１）両方の布材４Ａ，４Ａとも布製、（２）両方の布材４Ａ，４Ａともメッシュ製、（３）一方の布材４Ａは布製、他方の布材４Ａはメッシュ製としてよい。また、（４）前身頃２側の布材は前身頃２自体で代用し、他方の布材４Ａは布製、（５）前身頃２側の布材は前身頃２自体で代用し、他方の布材４Ａはメッシュ製としてもよい。ここでのメッシュとしては、ガーゼ等を利用することができる。
【００３０】
第１の実施の形態の第２の例として、ポケット４の窓４ｃ，４ｃに遮蔽部材を使用せずに、図９（本発明の第１実施形態の第２の例についての男性用下着のカバーの展開図である）に示すように、カバー材５′の切り欠き５ａ′部分に遮蔽部材６を取り付ける場合を挙げることもできる。
【００３１】
（第２の実施の形態）
図１０〜図１２により、本発明の第２の実施の形態に係る男性用下着を説明する。図１０は、本発明の第２実施形態の男性用下着を示す正面図である。図１１は、本発明の第２実施形態の男性用下着においてカバーを外した状態を示す正面図である。図１２は、本発明の第１実施形態の男性用下着のカバーの展開図である。なお、図１２（ａ）は正面図、図１２（ｂ）は背面図である。また、図１２（ａ）のＷ−Ｗ断面図、Ｘ−Ｘ断面図、Ｙ−Ｙ断面図、Ｚ−Ｚ断面図を示している。これらの図において、第１実施形態と同一または類似の要素には、同一の符号を付している。第１の実施の形態と同一の点についての説明は省略し、相違点を中心に説明する。
【００３２】
第２の実施の形態の男性用下着１には、第１の実施の形態のようなポケットが設けられておらず、カバー１１が、前見頃２の窓２ａの位置に対応させてその前面側に着脱可能に設けられている。窓２ａは、通気性のよい遮蔽部材１３により覆われている。遮蔽部材１３は、例えばガーゼにより構成することができる。窓２ａは、長方形に形成されている。なお、窓２ａの形状は、長方形のほか、三角形、円形または任意形状の、単数、複数、さらには、それらの形状の併用、混用など自在に選択できる。
【００３３】
カバー１１は、第１の実施の形態同様、布製、キャタピラ状の形状で、開口部５ａを有し、任意の位置で折り畳み可能とされているが、第２の実施の形態においては、カバー５の両面に面ファスナ１４，１４，１５，１５が取り付けられている。
【００３４】
前身頃２側には、窓２ａを囲むように面ファスナ１２，１２が取り付けられており、この面ファスナ１２，１２とカバー５の面ファスナ１５，１５とを結合させることにより、カバー１１を、前身頃２に上記窓２ａを覆うように取付けることができる。なお、カバー１１を前身頃２に装着するための手段は、面ファスナ１２，１２に限定されるものではなく、カバー１１を前身頃２に対して着脱可能とするものであればよい。
【００３５】
第２の実施の形態の男性用下着１によれば、カバー１１の折り畳み状態を変えることで前身頃２の窓２ａの開口面積を連続的に変化させることができる。したがって、多数のカバー部材を用意することなく、開口面積を、使用者が最適と考える任意の面積に設定することができる。これにより、使用者の満足度が高くなる。
【００３６】
また、第２の実施の形態においても、第１の実施の形態同様、陰嚢が過度に蒸れてしまうことを回避でき、菌の発生に起因する皮膚病を患うことを予防することも、治療を進めることもできる。
【００３７】
なお、第２の実施の形態のカバー１１には、いんきんたむしなどの皮膚病の症状を緩和させる薬剤を塗布することもできる。したがって、本実施の形態のカバー１１は、陰嚢の皮膚病を治療するのに適している。また、カバー１１は、着脱可能であるので、上記薬剤を塗布しやすいという利点がある。
【００３８】
第２の実施の形態においては、遮蔽部材１３は前身頃２側に設けたが、カバー１１の開口部１１ａ側に設けてもよい。あるいは、カバー１１及び前身頃２側の両方に設けてもよい。
【００３９】
第１、第２の実施の形態においては、カバー５，１１はキャタピラ状とされているがこれに限定されるものではない。例えば、前記図６の展開図に示すような切り欠きを有する形状の布材の上端側及び下端側を個別に折り畳むことにより、カバー５の開口部の面積を変更させて、前身頃２の窓２ａの面積を変更可能とすることもできる。
【００４０】
（第３の実施の形態）
図１３は、本発明の第３の実施の形態の男性用下着を示している。なお、本実施形態の男性用下着においては、前身頃２の開口２ａ及びその周辺部分以外は第１の実施形態と類似であり、本図には、前身頃２の開口２ａ及びその周辺部分のみを記載している。第１の実施の形態と同一の点についての説明は省略し、相違点を中心に説明する。
【００４１】
第３の実施の形態においては、前身頃２に、第１の実施の形態同様の窓２ａが設けられている。窓２ａは、第２の実施の形態同様、通気性のよい遮蔽部材１３により覆われている。遮蔽部材１３は、例えばガーゼにより構成することができる。
【００４２】
前見頃２の窓２ａの位置に対応させて、カバー２１が着脱可能に設けられている。具体的には、前身頃２の窓２ａの左右にそれぞれ面ファスナ２２，２２が設けられていると共に、カバー２１の前見頃２側の面の左右にそれぞれ面ファスナ２３，２３が設けられている。そして、前身頃２側の面ファスナ２２，２２とカバー２１側の面ファスナ２３，２３とを結合させることにより、カバー２１を前身頃２に対して取り付け、結合を解除させることにより取り外すことが可能となっている。
【００４３】
ここで、第３の実施の形態においては、前身頃２側の面ファスナ２１が窓２ａの高さの約２倍程度の長さを有している。そして、カバー２１の取り付け位置を、実線で示す状態と一点鎖線で示す状態との間で窓２ａの高さ方向に連続的に変更することができる。これにより、窓２ａの開口面積を、例えば、実線で示す位置において１００％、一点鎖線で示す位置において０％（実線で示す位置、二点鎖線で示す位置において５０％とすることができる。また、これらの間の任意の位置に取り付けることにより、所望の開口面積を実現することができる。
【００４４】
第３の実施の形態によれば、カバー２１の前身頃２に対する取付位置を変えることで前身頃２の窓２ａの開口面積を連続的に変化させることができる。したがって、多数のカバー部材を用意することなく、開口面積を、使用者が最適と考える任意の面積に設定することができる。これにより、使用者の満足度が高くなる。なお、第３の実施の形態においては、カバー２１の取付位置を窓２ａの高さ方向に変えるようにしたが、幅方向や斜め方向に変えるようにしてもよい。
【００４５】
特に、第３の実施の形態の男性用下着によれば、簡易な構造で窓２ａの開口面積を変更することができる。
【００４６】
（その他）
図１４（ａ）〜図１４（ｃ）は、第１の実施の形態のカバー５の遮蔽部材６のデザインバリエーションを示している。
【００４７】
図１４（ａ）に示す遮蔽部材６は、格子状のガーゼにより構成されている。
【００４８】
図１４（ｂ）に示す遮蔽部材６は、同じ形状の複数の円孔（通気孔。いわゆるパンチングメッシュ）を有する布材により構成されている。
【００４９】
図１４（ｃ）に示す遮蔽部材６は、同じ形状の複数のデザイン孔を有する布材により構成されている。図１４（ｃ）は、一例としてハート形状のデザイン孔を示しているが、任意の形状の孔とすることができる。
【００５０】
このようにカバー５の遮蔽部材６に同型異型の様々なデザイン状のバリエーションを多数持たせることにより、利用者の要求に広く応えることができる。なお、このバリエーションは、第２の実施の形態の遮蔽部材１３、及び第３の実施の形態の遮蔽部材１３にも適用することができる。
【００５１】
今回、開示した実施の形態は例示であってこれに制限されるものではない。本発明は、上記で説明した範囲ではなく、特許請求の範囲によって示され、特許請求の範囲と均等の意味および範囲での全ての変更が含まれることが意図される。
【符号の説明】
【００５２】
１  男性用下着、１ａ  胴体用開口、１ｂ  脚部用開口、２  前身頃、２ａ  前身頃に設けられた窓、３、後身頃、４  ポケット、４ａ  開口部、５  カバー、５ａ  開口部、６  遮蔽部材、ガーゼ、１１  カバー、１２  面ファスナ、１３  遮蔽部材、２１  カバー
【図１】
2011052352.tif 000003
【図２】
2011052352.tif 000004
【図３】
2011052352.tif 000005
【図４】
2011052352.tif 000006
【図５】
2011052352.tif 000007
【図６】
2011052352.tif 000008
【図７】
2011052352.tif 000009
【図８】
2011052352.tif 000010
【図９】
2011052352.tif 000011
【図１０】
2011052352.tif 000012
【図１１】
2011052352.tif 000013
【図１２】
2011052352.tif 000014
【図１３】
2011052352.tif 000015
【図１４】
2011052352.tif 000016
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
胴体用開口と、
該胴体用開口の反対側に位置する、一対の脚部用開口と、
前記胴体用開口と一対の脚部用開口とにつながり、陰嚢にかかる部分に形成された窓を有する前身頃と、
前記前身頃の窓の一部又は全部を覆い、該前身頃に対して着脱可能に設けられたカバーとを備え、
前記カバーは前記前身頃の窓に対応する位置に開口部を有し、折り畳み状態を変えることで開口部の面積を変化させることにより、前記前身頃の窓の開口面積を連続的に変化させることが可能とされていることを特徴とする男性用下着。
【請求項２】
前記前身頃の窓の位置に、前記カバーを収納可能で、カバーが収納された状態で前記カバーの開口部を塞がないように形成された窓を有するポケットが備えられていることを特徴とする請求項１に記載の男性用下着。
【請求項３】
前記カバーは、面ファスナにより前身頃に対して着脱可能とされていることを特徴とする請求項１に記載の男性用下着。
【請求項４】
前記前身頃の窓とカバーの開口部との少なくとも一方にガーゼが備えられていることを特徴とする請求項１から請求項３のいずれか１項に記載の男性用下着。
【手続補正２】
【補正対象書類名】明細書
【補正対象項目名】０００８
【補正方法】変更
【補正の内容】
【０００８】
本発明に係る男性用下着は、胴体用開口と、該胴体用開口の反対側に位置する、一対の脚部用開口と、前記胴体用開口と一対の脚部用開口とにつながり、陰嚢にかかる部分に形成された窓を有する前身頃と、前記前身頃の窓の一部又は全部を覆い、該前身頃に対して着脱可能に設けられたカバーとを備え、前記カバーは前記前身頃の窓に対応する位置に開口部を有し、折り畳み状態を変えることで開口部の面積を変化させることにより、前記前身頃の窓の開口面積を連続的に変化させることが可能とされていることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明に係る男性用下着によれば、前記カバーは前記前身頃の窓に対応する位置に開口部を有し、折り畳み状態を変えることで開口部の面積を変化させることにより、前身頃の窓の開口面積（窓の開口のうち通気可能な部分の面積）を連続的に変化させることができる。したがって、多数のカバー部材を用意することなく、開口面積を、使用者が最適と考える任意の面積に設定することができる。これにより、使用者の満足度が高くなる。
【手続補正５】
【補正対象書類名】明細書
【補正対象項目名】００１２
【補正方法】変更
【補正の内容】
【００１２】
【図１】本発明の第１実施形態の男性用下着を示す正面図である。
【図２】本発明の第１実施形態の男性用下着において、カバーを外した状態を示す正面図である。
【図３】本発明の第１実施形態の男性用下着のポケットの拡大図である。
【図４】本発明の第１実施形態の男性用下着のカバーの拡大斜視図である。
【図５】本発明の第１実施形態の男性用下着のカバーの拡大図（１００％開口状態）である。
【図６】本発明の第１実施形態の男性用下着のカバーの展開図である。
【図７】本発明の第１実施形態の男性用下着のカバーの拡大図（５０％開口状態）である。
【図８】本発明の第１実施形態の男性用下着のカバーの拡大図（０％開口状態）である。
【図９】本発明の第１実施形態の第２の例に使用される男性用下着のカバーの展開図である。
【図１０】本発明の第２実施形態の男性用下着を示す正面図である。
【図１１】本発明の第２実施形態の男性用下着において、カバーを外した状態を示す正面図である。
【図１２】本発明の第２実施形態の男性用下着のカバーの展開図である。
【図１３】本発明の参考例の男性用下着を示す正面図である。
【図１４】ポケットの遮蔽部材のバリエーションを示す正面図である。
【手続補正６】
【補正対象書類名】明細書
【補正対象項目名】００４０
【補正方法】変更
【補正の内容】
【００４０】
（参考例）
図１３は、本発明の参考例の男性用下着を示している。なお、本参考例の男性用下着においては、前身頃２の開口２ａ及びその周辺部分以外は第１の実施形態と類似であり、本図には、前身頃２の開口２ａ及びその周辺部分のみを記載している。第１の実施の形態と同一の点についての説明は省略し、相違点を中心に説明する。
【手続補正７】
【補正対象書類名】明細書
【補正対象項目名】００４１
【補正方法】変更
【補正の内容】
【００４１】
参考例においては、前身頃２に、第１の実施の形態同様の窓２ａが設けられている。窓２ａは、第２の実施の形態同様、通気性のよい遮蔽部材１３により覆われている。遮蔽部材１３は、例えばガーゼにより構成することができる。
【手続補正８】
【補正対象書類名】明細書
【補正対象項目名】００４３
【補正方法】変更
【補正の内容】
【００４３】
ここで、参考例においては、前身頃２側の面ファスナ２１が窓２ａの高さの約２倍程度の長さを有している。そして、カバー２１の取り付け位置を、実線で示す状態と一点鎖線で示す状態との間で窓２ａの高さ方向に連続的に変更することができる。これにより、窓２ａの開口面積を、例えば、実線で示す位置において１００％、一点鎖線で示す位置において０％、二点鎖線で示す位置において５０％とすることができる。また、これらの間の任意の位置に取り付けることにより、所望の開口面積を実現することができる。
【手続補正９】
【補正対象書類名】明細書
【補正対象項目名】００４４
【補正方法】変更
【補正の内容】
【００４４】
参考例によれば、カバー２１の前身頃２に対する取付位置を変えることで前身頃２の窓２ａの開口面積を連続的に変化させることができる。したがって、多数のカバー部材を用意することなく、開口面積を、使用者が最適と考える任意の面積に設定することができる。これにより、使用者の満足度が高くなる。なお、参考例においては、カバー２１の取付位置を窓２ａの高さ方向に変えるようにしたが、幅方向や斜め方向に変えるようにしてもよい。
【手続補正１０】
【補正対象書類名】明細書
【補正対象項目名】００４５
【補正方法】変更
【補正の内容】
【００４５】
特に、参考例の男性用下着によれば、簡易な構造で窓２ａの開口面積を変更することができる。
【手続補正１１】
【補正対象書類名】明細書
【補正対象項目名】００５０
【補正方法】変更
【補正の内容】
【００５０】
このようにカバー５の遮蔽部材６に同型異型の様々なデザイン状のバリエーションを多数持たせることにより、利用者の要求に広く応えることができる。なお、このバリエーションは、第２の実施の形態の遮蔽部材１３、及び参考例の遮蔽部材１３にも適用することができる。
【手続補正１２】
【補正対象書類名】明細書
【補正対象項目名】００５２
【補正方法】変更
【補正の内容】
【００５２】
１  男性用下着、１ａ  胴体用開口、１ｂ  脚部用開口、２  前身頃、２ａ  前身頃に設けられた窓、３、後身頃、４  ポケット、４ｃ  ポケットの窓、５  カバー、５ａ  開口部、６  遮蔽部材、ガーゼ、１１  カバー、１２  面ファスナ、１３  遮蔽部材、２１  カバー